(57)【要約】      （修正有）【課題】リアルタイムクロックを用いて計時装置を作成するときに、プログラムを作成することなくきわめて簡単に計時装置を作成することができるリアルタイムクロック制御集積回路を提供する。【解決手段】少なくとも一つの制御用信号入力端子と、少なくとも一つの表示手段３と、少なくとも一つのリアルタイムクロック２とに接続され、当該リアルタイムクロックの動作を制御するリアルタイムクロック制御回路７と、を持つリアルタイムクロック制御集積回路１において、リアルタイムクロック制御回路７は、制御手続きをプログラムの作成が不要なハードウェア論理回路として構成し格納した集積回路であることを特徴とする。【選択図】図１
0003198505.tif 000002
【実用新案登録請求の範囲】
【請求項１】
少なくとも一つの制御用信号入力端子と、
少なくとも一つの表示手段と、
少なくとも一つのリアルタイムクロックに接続され、
当該リアルタイムクロックの動作を制御するリアルタイムクロック制御回路を持つリアルタイムクロック制御集積回路において、
リアルタイムクロックの動作を制御するリアルタイムクロック制御集積回路は
制御手続きを
プログラムの作成が不要なハードウェア論理回路として構成し格納した集積回路であることを特徴とするリアルタイムクロック制御集積回路。
【請求項２】
前記請求項１のリアルタイムクロック制御集積回路においてリアルタイムクロック制御集積回路は１つのリアルタイムクロックと
１つ以上の他のデバイスを制御し
リアルタイムクロックからの時刻情報と
他の集積回路からの情報と、
リアルタイムクロック制御集積回路の動作状態情報を
制御手段による制御に従って切り替えて表示手段に表示することを特徴とするリアルタイムクロック制御集積回路。
【請求項３】
前記請求項１及び請求項２のリアルタイムクロック制御集積回路においてリアルタイムクロック制御集積回路に接続される表示手段はＬＥＤであることを特徴とするリアルタイムクロック制御集積回路。
【請求項４】
前記請求項１及び請求項２のリアルタイムクロック制御集積回路においてリアルタイムクロック制御集積回路に接続される表示手段はＬＣＤであることを特徴とするリアルタイムクロック制御集積回路。
【請求項５】
前記請求項１及び請求項２のリアルタイムクロック制御集積回路においてリアルタイムクロック制御集積回路に接続される表示手段はＥＬであることを特徴とするリアルタイムクロック制御集積回路。
【請求項６】
前記請求項１から請求項５のリアルタイムクロック制御集積回路においてリアルタイムクロック制御集積回路はＦＰＧＡ又はＰＬＤを使用して作成されることを特徴とする請求項１から請求項５のリアルタイムクロック制御集積回路。
【考案の詳細な説明】
【技術分野】
【０００１】  本考案はリアルタイムクロックの制御を行うリアルタイムクロック制御集積回路に関する。
【背景技術】
【０００２】  従来リアルタイムクロックを使用して計時装置を作成するときはマイクロコントローラーにリアルタイムクロックの制御手続きをプログラムとして作成しマイクロコントローラーＩＣに格納してリアルタイムクロックの制御を行う形で計時装置を作成することが通例であった。
【先行技術文献】
【特許文献】
【０００３】
【特許文献１】  特開  ２００６−１７２０３０
【非特許文献】
【０００４】
【非特許文献１】  エプソントヨコム株式会社製リアルタイムクロックアプリケーションマニュアル  ＲＴＣ＿６２４２１／６２４２３  インターネット（ＵＲＬ：ｈｔｔｐ：／／ｗｗｗ．ｅｐｓｏｎｄｅｖｉｃｅ．ｃｏｍ／ｄｏｃｓ／ｑｄ／ｊａ／ＤｏｗｎｌｏａｄＳｅｒｖｌｅｔ？ｉｄ＝ＩＤ０００５０９）
【考案の概要】
【考案が解決しようとする課題】
【０００５】  従来、リアルタイムクロックは非特許文献１に記載されているようにマイクロコントローラーの周辺デバイスの位置づけで開発されている。このため特許文献１に説明されているようにマイクロコントローラーを用いて制御用のプログラムを作成して制御する必要があるという問題点があった。
本考案はリアルタイムクロックを用いて計時装置を作成するときに、上記に示すプログラムの作成を行う必要があるという問題点を解決して、きわめて簡単に計時装置を作成することができるリアルタイムクロック制御集積回路を提供することを目的としている。
【課題を解決するための手段】
【０００６】  上記の課題を解決するために請求項１に記載された本考案のリアルタイムクロック制御集積回路はリアルタイムクロックの制御手続きをプログラムの作成が不要なハードウェア論理回路として構成し集積回路内に格納することを特徴とする。
【考案の効果】
【０００７】  本考案は以下のような効果を有する。
請求項１に記載されている本考案はリアルタイムクロックの制御手続きをハードウェア論理回路として集積回路に格納することにより、リアルタイムクロック、表示手段、制御入力手段と本考案のリアルタイムクロック制御集積回路を単純に接続するだけできわめて簡単に計時装置を作成することができるという効果がある。
【図面の簡単な説明】
【０００８】
【図１】本考案の実施例を示す回路ブロック図である。（実施例１）
【図２】本考案の実施例を示す回路ブロック図である。（実施例２）
【図３】本考案の実施例を示す回路ブロック図である。（実施例３）
【図４】本考案の実施例を示す回路ブロック図である。（実施例４）
【図５】本考案の実施例を示す回路ブロック図である。（実施例５）
【考案を実施するための形態】
【０００９】  プログラムを作成することなくリアルタイムクロック（ＲＴＣ）２の制御を行うリアルタイムクロック制御集積回路（ＩＣ）１を提供するという目的のために、動作制御用スイッチ（ＳＷ）４の入力情報を制御するスイッチ制御回路（ＳＷ制御回路）６とＳＷ制御回路６の制御に従ってリアルタイムクロック（ＲＴＣ）２とのデータの入出力を制御するＲＴＣ制御回路７とＲＴＣ制御回路７を介してリアルタイムクロック（ＲＴＣ）２から取得した時刻データと動作制御用スイッチ（ＳＷ）４の操作により決定されるリアルタイムクロック制御集積回路（ＩＣ）１の動作状態データの表示をスイッチ制御回路（ＳＷ制御回路）６の制御に従い制御する表示制御回路８をハードウェアで作成した集積回路により実現した。
以下、本考案の実施の形態について図面を参照して説明する。
【実施例１】
【００１０】  図１において、スイッチ（ＳＷ）４の入力に従ったリアルタイムクロック制御集積回路（ＩＣ）１の動作の制御をスイッチ制御回路（ＳＷ制御回路）６によって制御することによりリアルタイムクロック（ＲＴＣ）２からＲＴＣ制御回路７を介して時刻データを取得し、取得した時刻データとスイッチ（ＳＷ）４の操作と操作時のリアルタイムクロック制御集積回路（ＩＣ）１の動作状態により決定されるリアルタイムクロック制御集積回路（ＩＣ）１の動作状態データをスイッチ制御回路（ＳＷ制御回路）６と表示制御回路８により制御して表示手段（ＬＥＤ）３に送り所望の表示を行うことにより計時動作を行う。【００１１】  リアルタイムクロック制御集積回路（ＩＣ）１はスイッチ制御回路（ＳＷ制御回路）６、ＲＴＣ制御回路７、表示制御回路８より構成される。
【実施例２】
【００１２】  図２に示される実施例ではリアルタイムクロック制御集積回路（ＩＣ）１は外部デバイス制御回路１０によりリアルタイムクロック（ＲＴＣ）２のほかに他のデバイス５の制御もあわせて行いスイッチ（ＳＷ）４の入力による制御に従い表示手段３へその状態の表示を行う。また、他のデバイス５は２とは別のリアルタイムクロック又は温度センサーＩＣ又は圧力センサーＩＣ又は照度センサーＩＣ又は加速度センサーＩＣとすることが可能である。
【実施例３】
【００１３】  図３に示される実施例では表示手段を１２の他の表示手段その１のＬＣＤとしている。
【実施例４】
【００１４】  図４に示される実施例では表示手段を１３の他の表示手段その２のＥＬとしている。
【実施例５】
【００１５】  図５に示される実施例では他のデバイスとして他のデバイス５のほかに９の他のデバイスその２が接続されリアルタイムクロック制御集積回路（ＩＣ）１により制御される。また他のデバイスは２つ以上の複数とすることが可能である。さらに表示手段として表示手段３のＬＥＤのほかに一つ以上の表示手段を追加することができる。図５においては追加の表示手段１１のＬＥＤ２と１２のＬＣＤを追加している。なお追加の表示手段はＬＥＤ、ＬＣＤ、ＥＬをそれぞれ任意の数で組み合わせることが可能である。【００１６】  また、図１から図５の実施例におけるリアルタイムクロック制御集積回路（ＩＣ）１はＦＰＧＡ又はＰＬＤを用いて作成することができる。ＦＰＧＡ又はＰＬＤを使用した場合、使用数量が少なくてもリアルタイムクロック制御集積回路（ＩＣ）１を作成することが容易なため、リアルタイムクロック（ＲＴＣ）２の品種ごとに対応したリアルタイムクロック制御集積回路（ＩＣ）１をきわめて簡単に作成することができる。
【産業上の利用分野】
【００１７】  本考案のリアルタイムクロック制御集積回路は工作機械等の生産用装置または製品を製造する際に使用される製造用の装置に付属する時計、タイマー等の計時装置、または屋内、屋外の時計、タイマー等の計時装置等を生産する産業で利用する事ができる。
【符号の説明】
【００１８】１  リアルタイムクロック制御集積回路（ＩＣ）
２  リアルタイムクロック（ＲＴＣ）
３  表示手段（ＬＥＤ）
４  スイッチ（ＳＷ）
５  他のデバイス
６  スイッチ制御回路（ＳＷ制御回路）
７  ＲＴＣ制御回路
８  表示制御回路
９  他のデバイスその２
１０  外部デバイス制御回路
１１  追加の表示手段（ＬＥＤ２）
１２  他の表示手段その１（ＬＣＤ）
１３  他の表示手段その２（ＥＬ）
【図１】
0003198505.tif 000003
【図２】
0003198505.tif 000004
【図３】
0003198505.tif 000005
【図４】
0003198505.tif 000006
【図５】
0003198505.tif 000007
【手続補正書】
【提出日】平成27年4月27日(2015.4.27)
【手続補正１】
【補正対象書類名】実用新案登録請求の範囲
【補正対象項目名】全文
【補正方法】変更
【補正の内容】
【実用新案登録請求の範囲】
【請求項１】
少なくとも一つの制御用信号入力端子と、
少なくとも一つの表示手段と、少なくとも一つのリアルタイムクロックとに接続され、当該リアルタイムクロックの動作を制御するリアルタイムクロック制御回路と、を持つリアルタイムクロック制御集積回路において、
前記リアルタイムクロック制御回路は、制御手続きをプログラムの作成が不要なハードウェア論理回路として構成し格納した集積回路であることを特徴とするリアルタイムクロック制御集積回路。
【請求項２】
少なくとも一つの制御用信号入力端子と、
少なくとも一つの表示手段と、少なくとも一つのリアルタイムクロックおよび一つ以上の他のデバイスに接続され、当該リアルタイムクロックおよび一つ以上の他のデバイスの動作を制御する外部デバイス制御回路と、を持つリアルタイムクロック制御集積回路において、
前記外部デバイス制御回路は、制御手続きをプログラムの作成が不要なハードウェア論理回路として構成し格納した集積回路であり、
前記外部デバイス制御回路は、リアルタイムクロックからの時刻情報と、他のデバイスからの情報と、外部デバイス制御回路の動作状態情報を、制御用信号入力端子からの入力による制御に従って切り替えて表示手段に表示することを特徴とするリアルタイムクロック制御集積回路。
【請求項３】
請求項１または２に記載のリアルタイムクロック制御集積回路において、
前記表示手段はＬＥＤであることを特徴とするリアルタイムクロック制御集積回路。
【請求項４】
請求項１または２に記載のリアルタイムクロック制御集積回路において、
前記表示手段はＬＣＤであることを特徴とするリアルタイムクロック制御集積回路。
【請求項５】
請求項１または２に記載のリアルタイムクロック制御集積回路において、
前記表示手段はＥＬであることを特徴とするリアルタイムクロック制御集積回路。
【請求項６】
請求項１から５のいずれかに記載のリアルタイムクロック制御集積回路において、
ＦＰＧＡ又はＰＬＤを使用して作成されることを特徴とするリアルタイムクロック制御集積回路。